【手続補正書】
【提出日】平成19年8月6日(2007.8.6)
【手続補正１】
【補正対象書類名】特許請求の範囲
【補正対象項目名】全文
【補正方法】変更
【補正の内容】
【特許請求の範囲】
【請求項１】
ＰＯＳ（ｐｏｉｎｔ−ｏｆ−ｓａｌｅ）システムを利用する施設において、消費者取引を実行するための無線消費者取引システムであって、
一時的に存在する無線携帯装置を自動的に検知して通信を開始するＰＯＳシステムに接続されたローカル無線局と、
前記ローカル無線局と通信可能に接続されており、前記ローカル無線局を介して前記無線携帯装置にユーザオプションメニューを伝達し、前記ローカル無線局を介してユーザ選択を受信して記憶し、前記ユーザ選択に基づいてＰＯＳ取引価格を決定するように構成されたコンピュータと、
前記コンピュータに通信可能に接続されたＰＯＳ端末を備えており、
前記コンピュータは、ＰＯＳ取引価格及び／又は関連する取引データをＰＯＳ端末に伝達する無線消費者取引システム。
【請求項２】
リモート処理センタと通信するためのリモートインターフェースをさらに備えており、前記コンピュータは、ＰＯＳ取引を実行するためにユーザによってなされた要求に応じて、ＰＯＳ取引の許可の要求を前記リモート処理センタへ送信し、前記リモート処理センタからＰＯＳ取引許可応答を受信し、前記ＰＯＳ取引許可応答に応じて前記ＰＯＳ端末にＰＯＳ取引許可指示を伝達する、請求項１に記載の無線消費者取引システム。
【請求項３】
前記リモート処理センタは、ユーザがＰＯＳシステムを利用する施設から提示された商品又はサービスを購入するために、自動的に資金を引き出すことが可能なユーザ口座を含む、請求項２に記載の無線消費者取引システム。
【請求項４】
前記リモート処理センタは、ユーザが開始した電子振込によって前記ユーザ口座に追加資金を加えることを許可するように構成されている、請求項３に記載の無線消費者取引システム。
【請求項５】
前記リモート処理センタは、前記ＰＯＳ取引許可に基づいて前記ユーザ口座から前記取引価格を自動的に引き落とす、請求項３に記載の無線消費者取引システム。
【請求項６】
前記リモート処理センタは、ＰＯＳ取引を許可する前にユーザ又は無線携帯装置を認証する、請求項３に記載の無線消費者取引システム。
【請求項７】
前記リモート処理センタは、認証に関して、前記無線携帯装置に関連付けられている携帯機器識別子を用いる、請求項６に記載の無線消費者取引システム。
【請求項８】
前記リモート処理センタは、認証に関して、前記無線携帯装置を介してユーザによって入力されたパスワードを用いる、請求項６に記載の無線消費者取引システム。
【請求項９】
前記無線携帯装置が携帯電話を含む、請求項１に記載の無線消費者取引システム。
【請求項１０】
前記ローカル無線局は、前記無線携帯装置が登録されている別のセルラーネットワークのサービスエリアと重複するマイクロセル範囲をカバーする短距離無線トランシーバを備えている、請求項１に記載の無線消費者取引システム。
【請求項１１】
前記ローカル無線局は、前記マイクロセル範囲と重複するサービスエリアを有する前記別のセルラーネットワークの基地局で利用される１又は２以上の周波数及び／又はチャネルを監視し、前記周波数及び／又はチャネルに基づいて無線携帯装置と基地局間の通信を検知することによって、一時的に存在する無線携帯装置を自動的に検知するように構成されている、請求項１０に記載の無線消費者取引システム。
【請求項１２】
前記ローカル無線局は、所定の無線携帯装置が前記マイクロセル範囲内、又は、その近傍にあるというメッセージを前記セルラーネットワークから受信することによって、一時的に存在する前記無線携帯装置を自動的に検知する、請求項１０に記載の無線消費者取引システム。
【請求項１３】
所定の無線携帯装置を検出すると、前記ローカル無線局は、前記セルラーネットワークの前記基地局を介して、前記無線携帯装置にショートメッセージを伝送し、そのショートメッセージは、前記セルラーネットワークによってサポートされた標準ショートメッセージフォーマットである、請求項１０に記載の無線消費者取引システム。
【請求項１４】
無線携帯装置を検出すると、前記ローカル無線局は、前記基地局によって利用されていない周波数又はチャネルで前記無線携帯装置と通信する、請求項１０に記載の無線消費者取引システム。
【請求項１５】
前記コンピュータは、ＰＯＳシステムを利用する施設において、前記ユーザの要求を達成する手助けをする販売端末以外のローカル端末に表示するためにユーザ選択を自動的に伝達するように構成されている、請求項１に記載の無線消費者取引システム。
【請求項１６】
前記コンピュータは、前記無線携帯装置に関連付けられている携帯機器識別子の少なくとも一部に基づいて、無線携帯装置のユーザの認証を自動的に開始するように構成されている、請求項１に記載の無線消費者取引システム。
【請求項１７】
前記コンピュータは、ローカル無線局を介して前記コンピュータに伝達されたユーザによって入力されたパスワードの少なくとも一部に基づいて、無線携帯装置のユーザを認証するように構成されている、請求項１に記載の無線消費者取引システム。
【請求項１８】
前記ユーザオプションメニューには、購入のために選択可能なアイテムのリストが含まれている、請求項１に記載の無線消費者取引システム。
【請求項１９】
前記購入のために選択可能なアイテムには、ＰＯＳ端末と結合されているＰＯＳシステムを利用する施設において物理的に入手可能な複数の食品アイテムが含まれている、請求項１８に記載の消費者取引システム。
【請求項２０】
ＰＯＳシステムを利用する施設において消費者取引を実行するための方法であって、
ＰＯＳシステムに接続されたローカル無線局において、そのローカル無線局の近傍に一時的に存在する無線携帯装置を自動的に検知するステップと、
前記ローカル無線局を介してＰＯＳシステムから前記無線携帯装置への通信を自動的に開始するステップと、
ＰＯＳシステムにおいて、前記ローカル無線局を介して、前記無線携帯装置に入力されたユーザの応答を受信するステップと、
前記ローカル無線局を介して、ユーザオプションメニューを前記無線携帯装置へ自動的に伝達するステップと、
ＰＯＳシステムにおいて、前記ローカル無線局を介して、前記無線携帯装置から送信されたユーザ選択を受信し記憶するステップと、
ユーザ選択に基づいてＰＯＳ取引価格を決定するステップと、
を含む方法。
【請求項２１】
ＰＯＳシステムから前記取引価格を含むＰＯＳ取引許可の要求をリモート処理センタへ送信するステップと、
ＰＯＳシステムにおいて、前記リモート処理センタからＰＯＳ取引許可応答を受信するステップと、
前記ＰＯＳ取引許可応答の指示をＰＯＳシステムに接続されたＰＯＳ端末に表示するステップと、をさらに含む請求項２０に記載の方法。
【請求項２２】
前記無線携帯装置が携帯電話を含む、請求項２０又は２１に記載の方法。
【請求項２３】
前記リモート処理センタが、ユーザがＰＯＳシステムを利用する施設から提示された商品又はサービスを購入するために、自動的に資金を引き出すことが可能なユーザ口座を含む、請求項２１に記載の方法。
【請求項２４】
前記リモート処理センタに保存された前記ユーザ口座にユーザが開始した電子振込によって追加資金を加えるステップをさらに含む、請求項２３に記載の方法。
【請求項２５】
前記リモート処理センタが、前記ＰＯＳ取引の許可に基づいて前記ユーザ口座から前記取引価格を自動的に引き落とす、請求項２３に記載の方法。
【請求項２６】
前記リモート処理センタが、ＰＯＳ取引を許可する前にユーザ又は無線携帯装置を認証する、請求項２３に記載の方法。
【請求項２７】
前記リモート処理センタが、認証に関して、前記無線携帯装置に関連付けられている携帯機器識別子を用いる、請求項２６に記載の方法。
【請求項２８】
前記リモート処理センタが、認証に関して、前記無線携帯装置を介してユーザによって入力されたパスワードを用いる、請求項２６に記載の方法。
【請求項２９】
前記ローカル無線局は、無線携帯装置が登録されている別のセルラーネットワークのサービスエリアと重なり合うマイクロセル範囲をカバーする短距離無線トランシーバを備えている、請求項２０に記載の方法。
【請求項３０】
前記ローカル無線局は、前記マイクロセル範囲と重複するサービスエリアを有するセルラーネットワークの基地局で利用される１又は２以上の周波数及び／又はチャネルを監視し、前記周波数及び／又はチャネルに基づいて無線携帯装置と基地局間の通信を検知することによって、一時的に存在する無線携帯装置の自動的に検知するように構成されている、請求項２９に記載の方法。
【請求項３１】
前記ローカル無線局は、前記セルラーネットワークからメッセージを受信することによって、無線携帯装置が前記マイクロセル範囲、又は、その近傍にあることを所定の範囲に一時的に存在する前記無線携帯装置を自動的に検知する、請求項２９に記載の方法。
【請求項３２】
前記無線携帯装置を検出すると、前記セルラーネットワークの前記基地局を介して前記ローカル無線局から前記無線携帯装置へショートメッセージを伝送するステップであって、そのショートメッセージが、前記セルラーネットワークによってサポートされた標準ショートメッセージフォーマットであるステップをさらに含む、請求項２９に記載の方法。
【請求項３３】
前記無線携帯装置を検出すると、前記マイクロセル範囲内で前記セルラーネットワークによって利用されていない周波数又はチャネルを用いて前記ローカル無線局と前記無線携帯装置との間で通信するステップをさらに含む、請求項２０に記載の方法。
【請求項３４】
ＰＯＳシステムを利用する施設において、前記ユーザの要求の達成する出助けをする販売端末以外のＰＯＳ端末に表示するためにユーザ選択を伝達するステップをさらに含む、請求項２０に記載の方法。
【請求項３５】
前記無線携帯装置に関連付けられており、前記ローカル無線局を介してＰＯＳシステムに伝達された携帯機器識別子の少なくとも一部を用いることによって、前記無線携帯装置のユーザを認証するステップをさらに含む、請求項２０に記載の方法。
【請求項３６】
前記無線携帯装置を介して前記無線携帯装置のユーザによって入力され、前記ローカル無線局を介してＰＯＳシステムに伝達されたパスワードを少なくとも一部を用いることによって、前記無線携帯装置のユーザを認証するステップをさらに含む、請求項２０に記載の方法。
【請求項３７】
前記ユーザオプションメニューには、購入するために選択可能な品物のリストが含まれている、請求項２０に記載の方法。
【請求項３８】
前記購入のために選択可能なアイテムには、ＰＯＳ端末と結合されているＰＯＳシステムを利用する施設において物理的に入手可能な複数の食品アイテムが含まれている、請求項３７に記載の方法。
【請求項３９】
ＰＯＳ端末に表示するためにＰＯＳ取引価格及び／又は関連する取引データをＰＯＳ端末に伝達するステップをさらに含む、請求項２０に記載の方法。